(57)【要約】【課題】戸口の施工において戸枠の取り付けを容易かつ正確に行うことができる戸枠を提供する。【解決手段】戸枠(1)は、戸口を形成する壁部(3)の表裏側に設けられる両ボード(31,32)の外表面間より幅広に形成され、両ボード(31,32)の先端縁に当接する枠の現出部(111)と、枠の現出部(111)の奥行き方向の一方側に設けられており、枠の現出部(111)より狭く前記壁部(3)の両ボード(31,32)の内面(311,321)間と同じ幅に形成され、両ボード(31,32)間に覆隠される所要幅を有する枠の覆隠部(112)とを備えている。枠の覆隠部(112)の幅は、戸枠(1)が取り付けられる木桟(30)の幅と本質的に同じ幅に形成されている。【選択図】図４
2009215841.tif 000002
【特許請求の範囲】
【請求項１】
戸口の形成に用いられる戸枠であって、
戸口を形成する壁部(3)の表裏側に設けられる両ボード(31,32)の外表面間より奥行き方向へ長く形成され、両ボード(31,32)の先端縁に当接する枠の現出部(111)と、
該枠の現出部(111)の幅方向の一方側に設けられており、枠の現出部(111)より奥行きが短く前記壁部(3)の両ボード(31,32)の内面(311,321)間と同じ長さに形成され、両ボード(31,32)間に覆隠される所要の幅を有する枠の覆隠部(112)と、
を備えており、
前記枠の覆隠部(112)の奥行きが、戸枠が取り付けられる木桟(30)の奥行きと本質的に同じ長さに形成されている、
戸枠。
【請求項２】
戸口の形成に用いられる戸枠であって、
壁部(3)の表裏面方向である奥行き方向の一端側には、
戸口が形成される壁部(3)の表裏側に設けられる一方のボード(32)の外表面から端部が突出するよう形成され、該ボード(32)の先端縁に当接する枠の現出部(121)と、
該枠の現出部(121)の幅方向の一方側に設けられており、枠の現出部(121)より奥行きが短く奥行き方向端面が前記一方のボード(32)の内面(321)に当接し所要の幅を有する当接部(122)と、
が形成されており、
壁部(3)の表裏面方向である奥行き方向の他端側には、
戸枠に取り付けられる戸が閉まったときに戸の先端部の目隠し部が当たる、奥行き方向端面に設けられた当接段部(124)と、
該当接段部(124)の幅方向の一方側に設けられており、幅方向端面が前記ボード(32)と反対側のボード(31)の先端縁に当接する所要幅の枠の現出部(125)と、
が形成されており、
前記当接部(122)の奥行き方向端面(123)を、戸枠が取り付けられる木桟(30)の奥行き方向端面(300)に合わせることで取り付け位置に収まるようになっている、
戸枠。
【請求項３】
少なくとも枠の現出部(105a,106a)が金属または合成樹脂で形成されている、
請求項１または２のいずれかに記載の戸枠。
【請求項４】
枠の現出部(111,121,125)の幅が１〜８ｍｍの範囲内で設定されている、
請求項１または２のいずれかに記載の戸枠。
【請求項５】
請求項１ないし４のいずれかに記載の戸枠を壁面の開口縁部に取り付けた、
戸口構造。
【請求項６】
請求項１ないし４のいずれかに記載の戸枠を壁面の開口縁部に取り付け、前記戸枠に戸(2,2a)を取り付けるか、または移動できるように嵌め入れた、
戸口構造。
【発明の詳細な説明】
【技術分野】
【０００１】
本発明は、戸枠及び戸口構造に関するものである。更に詳しくは、戸口の施工において戸枠の取り付けを容易かつ正確に行うことができると共に、戸枠が表面に表れる部分の幅をより狭くして、施工後の戸口に意匠的にシャープな印象を与えることができる戸枠及び戸口構造に関する。
【背景技術】
【０００２】
開き戸や引き戸が設けられる戸口には、戸枠が設けられている。特に、住宅等では木製の戸枠が主に使用されている。
図９に従来の戸枠の取り付け構造（戸口構造：戸は省略）を示す。図９（Ａ）は最も一般的な構造であり、木桟に板状の戸枠を当てて固定し、戸枠に設けられているボードじゃくりと称される溝に石膏ボードの先端縁部を入れて石膏ボードを木桟の表裏面に張設した構造である。この構造では戸を取り付ける蝶番金具を戸枠に固定するときにネジが石膏ボードに入って利かなくなることがあり、それを防止するため、（Ｂ）に示すように木桟と戸枠の間に壁部の厚さと同等の幅を有する継桟を挟んでネジが確実に利くようにした構造も採用されている。
【０００３】
なお、使用される戸枠は、必要な強度を確保するためにある程度の幅（一般に２５ｍｍ程度）を有しており、この戸枠の幅（厚み）が戸口を縁取るように表れ、出入りの際の人の通行や荷物の運搬の邪魔になりやすい。
【０００４】
このような、戸枠の幅による弊害を解消することを目的とした発明としては、例えば特許文献１に記載の戸枠がある。この戸枠は、木桟の表裏側から釘を斜めに打って取り付けられる構造であり、壁面側に表れる奥行き方向両端側を狭くなるように形成し、幅方向内側の角をなくして、出入りの際の人の通行や荷物の運搬時に邪魔になりにくく、それらに対して損傷を与えることがないようにすることを目的とするものである。
【０００５】
【特許文献１】特開２００７−９６７７
【発明の開示】
【発明が解決しようとする課題】
【０００６】
しかしながら、前記各戸枠には次のような課題があった。
すなわち、前記いずれの戸枠も、木桟や継桟に取り付けるときに、壁部の奥行き方向の位置を両壁面からの突出幅が同じになるように調節する必要があるが、その目安となるものがない。このため、戸枠の取り付け位置の調節（位置合わせ）に手間取り、作業に時間がかかりすぎる課題がある。
【０００７】
特に、図９（Ｂ）のものは、戸枠と共に取り付けられる継桟の前記方向の取り付け精度が悪いと、継桟と石膏ボードの継ぎ目に段差が生じてしまい、これが表面のクロスに表れて外観が見苦しくなる。なお、図９（Ａ）のものは、戸枠の溝に石膏ボードの先端縁部を入れて石膏ボードを木桟の表裏面に張設するので、戸枠と石膏ボードの位置関係は正確に決まるが、木桟に対する戸枠の取付位置が悪いと、石膏ボードが溝に入らなかったり、石膏ボードに大きな変形を強いて割ってしまうことがある。
さらには、前記したように、戸枠の幅が比較的広く、この幅が戸口を縁取るように表れるので、戸口の外観が意匠的にあか抜けない野暮ったい感があるという、外観的な課題もあった。
【０００８】
（本発明の目的）
本発明の目的は、戸口の施工において戸枠の取り付けを容易かつ正確に行うことができる戸枠及び戸口構造を提供することである。
【０００９】
また、本発明の他の目的は、戸枠が壁部の表面に表れる部分の幅をより狭くすることができるようにして、施工後の戸口に意匠的にシャープな印象を与えることができる戸枠及び戸口構造を提供することである。
【課題を解決するための手段】
【００１０】
上記課題を解決するために本発明が講じた手段は次のとおりである。
本発明は、戸口の形成に用いられる戸枠であって、
戸口を形成する壁部の表裏側に設けられる両ボードの外表面間より奥行き方向へ長く形成され、両ボードの先端縁に当接する枠の現出部と、
該枠の現出部の幅方向の一方側に設けられており、枠の現出部より奥行きが短く前記壁部の両ボードの内面間と同じ長さに形成され、両ボード間に覆隠される所要の幅を有する枠の覆隠部と、
を備えており、
前記枠の覆隠部の奥行きが、戸枠が取り付けられる木桟の奥行きと本質的に同じ長さに形成されている、戸枠である。
【００１１】
本発明は、戸口の形成に用いられる戸枠であって、
壁部の表裏面方向である奥行き方向の一端側には、
戸口が形成される壁部の表裏側に設けられる一方のボードの外表面から端部が突出するよう形成され、該ボードの先端縁に当接する枠の現出部と、
該枠の現出部の幅方向の一方側に設けられており、枠の現出部より奥行きが短く奥行き方向端面が前記一方のボードの内面に当接し所要の幅を有する当接部と、
が形成されており、
壁部の表裏面方向である奥行き方向の他端側には、
戸枠に取り付けられる戸が閉まったときに戸の先端部の目隠し部が当たる、奥行き方向端面に設けられた当接段部と、
該当接段部の幅方向の一方側に設けられており、幅方向端面が前記ボードと反対側のボードの先端縁に当接する所要幅の枠の現出部と、
が形成されており、
前記当接部の奥行き方向端面を、戸枠が取り付けられる木桟の奥行き方向端面に合わせることで取り付け位置に収まるようになっている、戸枠である。
【００１２】
本発明に係る戸枠は、少なくとも枠の現出部が金属または合成樹脂で形成されているのがより好ましい。
【００１３】
本発明に係る戸枠は、枠の現出部の幅を１〜８ｍｍの範囲内で設定するのがより好ましい。
【００１４】
本発明は、前記いずれかに記載の戸枠を壁面の開口縁部に取り付けた、戸口構造である。
【００１５】
本発明は、前記いずれかに記載の戸枠を壁面の開口縁部に取り付け、前記戸枠に戸を取り付けるか、または移動できるように嵌め入れた、戸口構造である。
【００１６】
特許請求の範囲及び明細書にいう「戸口構造」の用語は、戸口が形成される壁部に設けた口部に戸枠を取り付けた構造と、さらに戸枠に開き戸を取り付けた構造及び引き戸を嵌め込んだ構造の各々を含む意味で使用している。
また、特許請求の範囲及び明細書にいう「幅」、「奥行き」の用語は、各部材を施工し戸口構造に組み入れた状態を基準とした表現としている。つまり、壁の表面方向を「幅」と表現し、壁の表裏面方向（厚み方向）を「奥行き」と表現している。
【００１７】
枠の現出部の幅は特に限定しないが、１〜８ｍｍとするのがより好ましい。枠の現出部の幅が１ｍｍに満たない場合は、縁の幅が狭すぎて、物の接触によって破損や変形しやすくなる等、強度的な不都合を生じる傾向があり、さらに８ｍｍを超える場合は、幅が広すぎて、施工後の戸口に意匠的にシャープな印象を与えることが難しくなる傾向がある。
【００１８】
（作用）
本発明に係る戸枠及び戸口構造の作用を説明する。
戸口構造を施工する際には、壁部に開口部を構成している木桟に戸枠を固定する。戸枠に設けられている枠の覆隠部の幅が、戸枠が取り付けられる木桟の幅と本質的に同じ幅に形成されているものは、端面同士の位置を面一に合わせることによって、戸枠の位置、すなわち壁部の表裏面方向における位置が自動的に、かつ正確に決まる。
また、当接部の幅方向端面を、戸枠が取り付けられる木桟の奥行き方向端面に面一に合わせることで取り付け位置に収まるようになっているものは、これによって戸枠の位置、すなわち壁部の表裏面方向における位置が自動的に、かつ正確に決まる。
【００１９】
なお、戸枠自体の強度は、枠の覆隠部の幅で十分に確保することができるので、外表面に表れる枠の現出部の幅は、従来より十分に狭く形成することができる。これにより、戸枠が壁部の表面に表れる部分の幅をより狭くすることができ、戸枠によって施工後の戸口に意匠的にシャープな印象を与えることができる。
【発明の効果】
【００２０】
本発明は、次のような効果を有する。
（ａ）本発明に係る戸枠は、戸口構造の施工にあたり、壁部の表裏面方向における戸枠の位置が自動的かつ正確に決まるので、従来のように位置を調節する手間がかからない。これにより、仮に十分な経験を積んでいない作業者であっても、短時間で容易にかつ正確な施工ができる。
【００２１】
（ｂ）戸枠自体の強度は枠の覆隠部の幅で十分に確保することができるので、外表面に表れる枠の現出部の幅は、従来より十分に狭く形成することができる。これにより、戸枠が壁部の表面に表れる部分の幅をより狭くすることができ、戸枠によって施工後の戸口に意匠的にシャープな印象を与えることができる。また、色のコーディネイトによっては、戸口及び戸が壁面に溶け込むように調和させ、目立たないようなデザインにすることもできる。また、枠の現出部が金属または合成樹脂で形成されているものは、木質のものと比較して強度を向上させることができるので、枠の現出部の幅を例えば１〜２ｍｍ程度に設定する等、より狭く形成することができる。
【発明を実施するための最良の形態】
【００２２】
本発明を図面に示した実施の形態に基づき詳細に説明する。
【００２３】
図１は本発明に係る戸口構造の第１実施の形態を示す正面視説明図、
図２は図１における断面図を示し、（ａ）はＩ−Ｉ断面図、（ｂ）はＩＩ−ＩＩ断面図、
図３は図２（ａ）におけるＰ１部の拡大説明図、
図４は図２（ｂ）におけるＰ２、Ｐ３部の拡大説明図である。
【００２４】
本実施の形態に係る戸口構造は、壁部３に四角形状に設けられた口部（符号省略）の口縁部に取り付けられる戸枠１と、この戸枠１に開閉できるように取り付けられている戸２（開き戸）により構成されている。なお、戸２は、後述する縦枠１１に、上下に配された蝶番金具２１によって回動することにより開閉できるように取り付けられている。
戸枠１は、左右の垂直な縦枠１１、１２及び水平な上枠１０とくつずり１３により構成されており、長方形状の枠体である。
【００２５】
図４の右図を参照し、図１において右側の縦枠１１の構造を説明する。
縦枠１１は、ほぼ板状に形成されており、表面が外に表れる枠の現出部１１１と、壁部３の内部に隠れる枠の覆隠部１１２により構成されている。
枠の現出部１１１は、壁部３の表裏側に設けられている両石膏ボード３１、３２表面のクロス３３の外表面間より奥行きが長く形成されている。石膏ボード３１、３２は、木桟３０の表裏面に当接して張設されている。枠の現出部１１１の内面には奥行き方向（壁部３の表裏面方向）において外側寄りに、戸当たり１４が取り付けられている。
【００２６】
枠の現出部１１１の幅は、従来の戸枠の一般的な幅である約２５ｍｍよりきわめて狭い３ｍｍに形成されている。また、枠の現出部１１１の一端側のクロス３３の外表面からの突出量は４ｍｍに設定されている。これらの寸法は限定されるものではなく、適宜調節、設定ができる。なお、枠の現出部１１１は、取り付け時においては、両石膏ボード３１、３２の先端縁に当接する。
【００２７】
枠の現出部１１１の幅方向の一方側には、前記枠の覆隠部１１２が設けられている。枠の覆隠部１１２は、枠の現出部１１１より奥行きが短く、奥行き方向の両端面１１３間の幅は、木桟３０の表裏面方向の幅と本質的に同じ幅に形成されている。これにより、枠の覆隠部１１２は、壁部３の両石膏ボード３１、３２の各内面３１１、３２１の間に収まり外部から隠れることになる。また、枠の覆隠部１１２の幅は、１８ｍｍに形成されており、枠の現出部１１１の幅３ｍｍを含む縦枠１１の幅は、従来の戸枠の一般的な幅である約２５ｍｍよりやや狭い程度の２１ｍｍに形成されている。
【００２８】
図４の左図を参照し、図１において左側の縦枠１２の構造を説明する。
縦枠１２において、奥行き方向（壁部３の表裏面方向）の一方側（図４において上側：戸２が設けられる側と反対側）は、前記縦枠１１の一方側の構造と同じ構造（寸法も含む）であり、枠の現出部１２１と当接部１２２（縦枠１１の枠の覆隠部１１２に対応）で構成されている。当接部１２２は、奥行き方向の端面１２３が一方の石膏ボード３２の内面３２１に当接できる。
【００２９】
また、縦枠１２の奥行き方向（壁部３の表裏面方向）において他方側（図４において下側：戸２が設けられる側）は、前記一方側の構造と奥行き方向において、ほぼ点対称に形成されている。縦枠１２の幅方向端面には、戸枠１に取り付けられる戸２が閉まったときに戸２の先端部の目隠し部２０が当たる当接段部１２４が設けられている。
【００３０】
当接段部１２４の幅方向の一方側には枠の現出部１２５が設けられている。枠の現出部１２５の幅は、前記枠の現出部１２１の幅と同じである。なお、枠の現出部１２５の当接段部１２４からの突出量は、枠の現出部１２１の当接部１２２端面からの突出量よりやや短く形成されている。枠の現出部１２５の幅方向の端面は、他方の石膏ボード３１の先端縁３１２に当接できる。また、枠の現出部１２１の内面には奥行き方向（壁部３の表裏面方向）において外側寄りに、戸当たり１４が取り付けられている。
【００３１】
上枠１０は、図３に示すように、前記縦枠１１と同様の断面形状を有し、表面が外に表れる枠の現出部１０１と、壁部３の内部に隠れる枠の覆隠部１０２により構成されている。枠の覆隠部１０２の奥行き方向の両端面１０３間の奥行きは、木桟３０の表裏面方向の幅と本質的に同じ幅に形成されている。上枠１０の内面には奥行き方向（壁部３の表裏面方向）において外側寄りに、戸当たり１４が取り付けられている。この戸当たり１４は、前記縦枠１１、１２の戸当たり１４とつながっている。
【００３２】
（作用）
図１ないし図４を参照して、戸枠１及びそれを備えた戸口構造の作用を説明する。
戸口構造の施工時における、木桟３０に対する戸枠１の取り付け作業に当たっては、上枠１０及び縦枠１１については、枠の覆隠部１０２の両端面１０３及び枠の覆隠部１１２の両端面１１３を、それぞれが取り付けられる木桟３０の両端面３００と面一になるように合わせてネジ着等により固定する。
これによって、戸枠１を構成する上枠１０及び縦枠１１の取り付け位置、具体的には壁部３の表裏面方向における位置が自動的に、かつ正確に決まる。
【００３３】
他方の縦枠１２については、当接部１２２の端面１２３を木桟３０の一方（図４において上側）の端面３００に面一に合わせることにより、同様に壁部３の表裏面方向における位置が自動的に、かつ正確に決まる。これにより、上枠１０と縦枠１１、１２は、壁部３の表裏面方向における位置が合致し、相互につながる。
このように、戸枠１の取り付け作業に当たって、従来のように位置を調節する手間がかからない。これにより、仮に十分な経験を積んでいない作業者であっても、短時間で容易にかつ正確な戸枠１の施工ができる。
【００３４】
壁部３の開口部に戸枠１を取り付けた後、石膏ボード３１、３２を各木桟３０の表裏面方向の端面３００間に固定する。このとき、上枠１０と縦枠１１については、各々の両端面１０３、１１３に石膏ボード３１、３２の内面３１１、３２１を当接させ、各枠の覆隠部１０２、１１２を石膏ボード３１、３２間に隠すようにする。その後、戸枠１に蝶番金具２１によって戸２を取り付ける。
【００３５】
また、戸枠１の上枠１０及び縦枠１１、１２の強度は、上枠１０、縦枠１１では枠の覆隠部１１２の幅で十分に確保することができ、縦枠１２では当接部１２２の幅で十分に確保することができる。したがって、外表面に表れる上枠１０の枠の現出部１０１、縦枠１１の枠の現出部１１１及び縦枠１２の枠の現出部１２１の幅は、従来の戸枠（一般的に２５ｍｍ程度）より十分に狭く形成することができる。
【００３６】
これにより、戸枠１が壁部３の表面に表れる部分、すなわち枠の現出部１０１、１１１、１２１、１２５の幅をより狭くすることができ（本実施の形態では３ｍｍに設定）、戸枠１によって施工後の戸口に意匠的にシャープな印象を与えることができる。また、例えば色を同じ系統でコーディネイトすることにより、戸口及び戸２が壁部３の表面に溶け込むように調和させて、目立たないようなデザインにすることもできる。
【００３７】
図５は本発明に係る戸口構造の第２実施の形態を示す正面視説明図、
図６は図５における断面図を示し、（ａ）はＩＩＩ−ＩＩＩ要部拡大断面図、（ｂ）はＩＶ−ＩＶ要部拡大断面図である。
【００３８】
本実施の形態に係る戸口構造は、戸２ａを備えたものである。戸２ａは片引き戸であるが、両引き戸のものを採用することもできる。
戸枠１ａは、上枠１５、縦枠１６、１７により構成されている。縦枠１６、１７の間隔は、戸２ａの幅の約二倍に設定されており、ほぼ中央部には、中間縦枠１６ａが設けられている。縦枠１６と中間縦枠１６ａの間には、戸２ａを収容する収容空間１６９が設けられている。収容空間１６９の大きさは戸２ａとほぼ同じ大きさである。
【００３９】
上枠１５は、前記上枠１０と同様の構造を有し、枠の現出部１５１と枠の覆隠部１５２を備えている。枠の覆隠部１５２の両端面１５０の間隔は、木桟３０の表裏面方向の幅と本質的に同じ幅に形成されている。上枠１５の内面（下面）には、長手方向に断面Ｌ字状のガイドレール２３が取り付けられている。床４には、ガイドレール２３と平行にガイドレール２２が設けられている。
【００４０】
また、一方（図５において左側）の縦枠１７は、前記縦枠１２とほぼ同様の構造を有し、枠の現出部１７１、１７３及び当接部１７２を備えている。縦枠１７の内面には、戸２ａを閉じたときに先端縁が当たる凹部１７４が設けられている。また、当接部１７２の両端面１７０の間隔は、木桟３０の表裏面方向の幅と本質的に同じ幅に形成されている。
【００４１】
他方の縦枠１６及び中間縦枠１６ａは、それぞれ前記縦枠１１を奥行き方向において、長さで１：２に切断した構造である。縦枠１６は枠の覆隠部１６２と枠の現出部１６１で構成され、中間縦枠１６ａは枠の覆隠部１６２ａと枠の現出部１６１ａで構成されている。幅が狭い側の縦枠１６は、表裏面方向の奥行きが短い木桟３０ｂに取り付けられており、幅が広い側の縦枠１６ａは、表裏面方向の奥行きが長い木桟３０ａに取り付けられている。木桟３０ａと木桟３０ｂの間には石膏ボード３４が張設されている。
なお、戸２ａは、取り付けられた戸枠１ａに設けられている前記ガイドレール２２、２３間に移動できるように嵌め込まれている。
【００４２】
（作用）
本実施の形態に係る戸口構造及び戸枠１ａの作用を説明する。
戸枠１ａの上枠１５については、枠の覆隠部１５２の両端面１５０を、それぞれが取り付けられる木桟３０の両端面３００と面一になるように合わせてネジ着等により固定する。これによって、上枠１５の取り付け位置、具体的には壁部３の表裏面方向における位置が自動的に、かつ正確に決まる。
【００４３】
また、縦枠１６については、それぞれ枠の覆隠部１６２の一端面１６０を木桟３０ｂの一端面３００に面一に合わせ、中間縦枠１６ａについては、枠の覆隠部１６２ａの一端面１６０ａを木桟３０ａの一端面３００に面一に合わせ、さらに縦枠１７については、当接部１７２の両端面１７０を木桟３０の両端面３００に面一に合わせるようにすれば、縦枠１６、中間縦枠１６ａ、縦枠１７の取り付け位置、具体的には壁部３の表裏面方向における位置が自動的に、かつ正確に決まる。
なお、他の作用については前記戸枠１及び戸口構造とほぼ同様であるので、説明は省略する。
【００４４】
図７は本発明に係る戸口構造の第３実施の形態を示す横断面説明図である。
本実施の形態に係る戸枠１ｂは、上枠（図示省略）と縦枠１８、１９を備えている。一方側の縦枠１８は、前記戸枠１の縦枠１１とほぼ同様の構成を有し、枠の現出部１８１、１８３及び枠の覆隠部１８２を備えている。縦枠１８の内面側には凹部１８４が設けられている。
また、他方側の縦枠１９は、前記戸枠１の縦枠１２とほぼ同様の構成を有し、枠の現出部１９１、１９３、当接部１９２を備えている。当接部１９２の一端側には、当接段部１９４が設けられ、それに続く内面側には凹部１９５が設けられている。
【００４５】
前記凹部１８４、１９５の間には、戸２ｂ（開き戸）が蝶番金具（図示省略）によって回動できるように取り付けられている。戸２ｂの先端縁部には、断面Ｌ字状のアルミニウム製の当て具２４が取り付けられており、戸当たり時に発生する音の低減を図っている。なお、当て具２４の素材はアルミニウム等の金属に限定されるものではなく、合成樹脂でもよい。
【００４６】
（作用）
本実施の形態に係る戸口構造及び戸枠１ｂの作用を説明する。
戸枠１ｂの縦枠１８については、枠の覆隠部１８２の両端面１８０を、取り付けられる木桟３０の両端面３００と面一になるように合わせてネジ着等により固定する。
また、縦枠１９については、当接部１９２の一端面１９０を木桟３０の一端面３００に面一に合わせて固定する。
これによって、縦枠１８、１９の取り付け位置、具体的には壁部３の表裏面方向における位置が自動的に、かつ正確に決まる。
なお、他の作用については前記戸枠１及び戸口構造とほぼ同様であるので、説明は省略する。
【００４７】
図８は戸枠の他の実施の形態を示す断面図である。図８では、戸枠のうち一方側の縦枠のみを示している。
図８（ａ）の縦枠１１ａは、前記縦枠１１と同様に戸口構造の構成部として使用できるものである。縦枠１１ａは、断面形状が長方形状の基板１０４の奥行き方向の両端部に断面Ｌ字状のアルミニウム製のアングル１０５を図に示すように固定した構造である。なお、アングル１０５の固定は皿ネジによるネジ着であるが、接着等、他の方法を採用することもできる。また、アングル１０５はアルミニウム等の金属に限定されるものではなく、十分な強度を有する合成樹脂等、他の材料で形成してもよい。
【００４８】
両アングル１０５の枠の現出部１０５ａは、基板１０４の奥行き方向の両端部から奥行き方向と平行に張り出しており、互いの表面（図８において下側の面：符号省略）が面一になるように設けられている。また、両アングル１０５のうち枠の現出部１０５ａとは反対側の部分（基板１０４への固定部分）の両端面１０５ｂ間の奥行きは、前記両端面１１３間の幅と同様に、木桟３０の表裏面方向の奥行きと本質的に同じ幅に形成されている。
【００４９】
この構造によれば、枠の現出部１０５ａがアルミニウム製であり、木質のものと比較して強度に優れているので、枠の現出部１０５ａの幅を例えば１〜２ｍｍ程度に設定する等、より狭く形成することができる。なお、その他の作用については、前記縦枠１１と同様であるので説明を省略する。
【００５０】
図８（ｂ）の縦枠１２ａは、前記縦枠１２と同様に戸口構造の構成部として使用できるものである。縦枠１２ａは、基板１０４の奥行き方向の両端部に断面Ｌ字状のアルミニウム製のアングル１０５、１０６を図に示すように固定した構造である。なお、一方のアングル１０５は前記縦枠１１ａのアングル１０５（図８において右側）と同様の向きで固定されており、他方のアングル１０６は、前記縦枠１１ａのアングル１０５（図８において左側）とは反対に向けて固定されている。各アングル１０５、１０６の固定方法は、前記縦枠１１ａと同様である。
【００５１】
両アングル１０５、１０６の枠の現出部１０５ａ、１０６ａは、基板１０４の奥行き方向の両端部から奥行き方向と平行に張り出しており、互いの表面（枠の現出部１０５ａの場合は図８において下側の面、枠の現出部１０６ａの場合は図８において上側の面：いずれも符号省略）が面一になるように設けられている。
この構造によれば、枠の現出部１０５ａ、１０６ａがアルミニウム製であり、木質のものと比較して強度に優れているので、枠の現出部１０５ａ、１０６ａの幅を例えば１〜２ｍｍ程度に設定する等、より狭く形成することができる。なお、その他の作用については、前記縦枠１２と同様であるので説明を省略する。
【００５２】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様ができるのは言うまでもない。
【図面の簡単な説明】
【００５３】
【図１】本発明に係る戸口構造の第１実施の形態を示す正面視説明図。
【図２】図１における断面図を示し、（ａ）はＩ−Ｉ断面図、（ｂ）はＩＩ−ＩＩ断面図。
【図３】図２（ａ）におけるＰ１部の拡大説明図。
【図４】図２（ｂ）におけるＰ２、Ｐ３部の拡大説明図。
【図５】本発明に係る戸口構造の第２実施の形態を示す正面視説明図。
【図６】図５における断面図を示し、（ａ）はＩＩＩ−ＩＩＩ要部拡大断面図、（ｂ）はＩＶ−ＩＶ要部拡大断面図。
【図７】本発明に係る戸口構造の第３実施の形態を示す横断面説明図。
【図８】戸枠の他の実施の形態を示す断面図。
【図９】従来の戸枠の取り付け構造の例を示す断面説明図。
【符号の説明】
【００５４】
１  戸枠
１ａ  戸枠
１ｂ  戸枠
１０  上枠
１０１  枠の現出部
１０２  枠の覆隠部
１０３  端面
１１  縦枠
１１１  枠の現出部
１１２  枠の覆隠部
１１３  端面
１１ａ  縦枠
１０４  基板
１０５  アングル
１０５ａ  枠の現出部
１０５ｂ  端面
１２  縦枠
１２１   枠の現出部
１２２  当接部
１２３  端面
１２４  当接段部
１２５  枠の現出部
１２ａ  縦枠
１０６  アングル
１０６ａ  枠の現出部
１０６ｂ  端面
１３  くつずり
１４  戸当たり
１５  上枠
１５０  端面
１５１  枠の現出部
１５２  枠の覆隠部
１６  縦枠
１６ａ  中間縦枠
１６０  端面
１６０ａ  端面
１６１  枠の現出部
１６１ａ  枠の現出部
１６２  枠の覆隠部
１６２ａ  枠の覆隠部
１６９  収容空間
１７  縦枠
１７０  端面
１７１、１７３  枠の現出部
１７２  当接部
１７４  凹部
１８  縦枠
１８０  端面
１８１、１８３  枠の現出部
１８２  枠の覆隠部
１８４  凹部
１９  縦枠
１９０  端面
１９１、１９３  枠の現出部
１９２  当接部
１９４  当接段部
１９５  凹部
２  戸
２ａ  戸
２ｂ  戸
２０  目隠し部
２１  蝶番金具
２２  ガイドレール
２３  ガイドレール
２４  当て具
３  壁部
３０  木桟
３０ａ  木桟
３０ｂ  木桟
３００  端面
３１  石膏ボード
３１１  内面
３１２  先端縁
３２  石膏ボード
３２１  内面
３３  クロス
３４  石膏ボード
４  床
【図１】
2009215841.tif 000003
【図２】
2009215841.tif 000004
【図３】
2009215841.tif 000005
【図４】
2009215841.tif 000006
【図５】
2009215841.tif 000007
【図６】
2009215841.tif 000008
【図７】
2009215841.tif 000009
【図８】
2009215841.tif 000010
【図９】
2009215841.tif 000011